(57)【要約】【課題】本発明はタイミング電気スタンドを開示した。【解決手段】ランプ台を含み、前記ランプ台の中には定時装置と、ロック装置及びライト装置が設置され、前記定時装置は前記ランプ台の中に設置される歯車チャンバを含み、前記歯車チャンバの中には大歯車が回転できるように設置され、本発明は構造が簡単で、操作が便利であり、人工で初期光と定時時間を制御できるだけではなく、提示ブロックを弾ませることにより定時の時間を提示し、同時に光の輝度を変更し、快速に正しくセットし、メンテナンスコストが低く、ぜんまいを交換すればよい。【選択図】図１
2020161463.tif 000002
【特許請求の範囲】
【請求項１】
ランプ台を含み、前記ランプ台の中には定時装置と、ロック装置及びライト装置が設置され、前記定時装置は前記ランプ台の中に設置される歯車チャンバを含み、前記歯車チャンバの中には大歯車が回転できるように設置され、前記大歯車の上端には連結軸が固定的に連結され、前記連結軸の上端にはねじり輪が固定的に連結され、前記大歯車の中には下方に開口した噛合チャンバが設置され、前記噛合チャンバの中の中心には小歯車が回転できるように設置され、前記小歯車の右端には伝動歯車が噛合し設置され、前記伝動歯車の右端が前記噛合チャンバの右側内壁に噛合しており、前記伝動歯車の下端が固定軸により前記歯車チャンバの下側内壁に回転できるように連結され、前記歯車チャンバの下側内壁には固定ブロックが固定的に連結され、前記小歯車と前記固定ブロックとの間にはぜんまいが固定的に連結され、前記小歯車の下端には中心軸が固定的に連結され、前記歯車チャンバの下側内壁の中には定時チャンバが設置され、前記中心軸の下端が前記定時チャンバの中に挿入され、かつ前記中心軸の下端にはロックスライドブロックが固定的に連結され、前記ロックスライドブロックには転がり歯車がネジ山により連結され、前記定時チャンバの下側内壁の中には歯状溝が連通し設置され、前記転がり歯車の下端が前記歯状溝に噛合しており、前記転がり歯車の右端にはねじボルトが回転できるように連結される；前記ねじり輪を回転させ、歯車伝動により前記ぜんまいをねじり、前記ぜんまいのエネルギーを増加し、前記ねじり輪を放した後に、前記ぜんまいが逆方向に回転し時間を計ることを特徴とするタイミング電気スタンド。
【請求項２】
前記ロック装置は前記定時チャンバの右側内壁の中に設置される上方に開口したプッシュロッドチャンバを含み、前記プッシュロッドチャンバの中には伝動軸が回転できるように設置され、前記伝動軸の左端が前記定時チャンバの中に挿入され、かつ前記伝動軸の左端には引掛りブロックが固定的に連結され、前記引掛りブロックの中には後方に開口した引掛り溝が左右に貫通し設置され、前記伝動軸の前端には固定板が固定的に連結され、前記固定板の下端には上磁石が固定的に連結され、前記プッシュロッドチャンバの下側内壁には前記上磁石に正対する下磁石が固定的に連結され、前記固定板の上端にはプッシュロッドが固定的に連結され、前記プッシュロッドの上端にはプッシュ輪が回転できるように連結され、前記プッシュ輪の上端には前記プッシュロッドチャンバの中にスライドできる提示ブロックが当接し設置され、前記提示ブロックが前記プッシュロッドチャンバの中から滑り出さない；前記ねじボルトの突出部分が前記引掛り溝の中に挿入され、かつ前記引掛りブロックを回転連動させることができ、それにより前記伝動軸を回転連動させ、前記プッシュロッドにより前記提示ブロックの上端を前記プッシュロッドチャンバの中から押し出すことができ、定めた時間を提示することを特徴とする請求項１に記載のタイミング電気スタンド。
【請求項３】
前記ライト装置は前記プッシュロッドチャンバの右側内壁の中に連通し設置される伝動軸チャンバを含み、前記伝動軸チャンバの右側内壁の中には方向変更チャンバが連通し設置され、前記伝動軸の右端が前記方向変更チャンバの中に挿入され、かつ前記伝動軸の右端にはメイン傘歯車が固定的に連結され、前記メイン傘歯車の上端にはサブ傘歯車が噛合設置され、前記サブ傘歯車の上端にはロング回転軸が固定的に連結され、前記方向変更チャンバの上側内壁の中にはロング回転軸チャンバが連通し設置され、前記ロング回転軸チャンバの上側内壁の中には同期ベルトチャンバが連通し設置され、前記ロング回転軸の上端が前記同期ベルトチャンバの中に挿入され、かつ前記ロング回転軸の上端には右プーリが固定的に連結され、前記右プーリの左側には左プーリが回転できるように設置され、前記右プーリと前記左プーリとの間には同期ベルトが連結され、前記左プーリの中には切換軸が固定的に連結され、前記切換軸の上端が外部まで伸びており、かつ前記切換軸の上端には切換輪が固定的に連結され、手動で前記切換輪を回転させるとき、前記左プーリと前記同期ベルトとが相対的にスライドでき、前記切換軸の下端には前導電ブロックと後導電ブロックとが固定的に連結され、前記ランプ台には前記前導電ブロックの下側に位置する電球が設置され、前記電球の上端面の中には下導電ブロックが固定的に設置され、前記下導電ブロックが前記前導電ブロックまたは前記後導電ブロックと接触し前記電球を点灯でき、前記前導電ブロックと前記後導電ブロックとが同時に前記下導電ブロックに接触するとき前記電球を点灯しない；前記伝動軸が歯車伝動とベルト伝動により前記切換軸を回転連動させ、それにより前記前導電ブロックと前記後導電ブロックとを回転連動させて前記下導電ブロックと交代的に接触させることを特徴とする請求項１又は請求項２に記載のタイミング電気スタンド。
【発明の詳細な説明】
【技術分野】
【０００１】
本発明は家電用品分野を取り上げて、具体的にはタイミング電気スタンドである。
【背景技術】
【０００２】
電気スタンドは一般的な家電用品であり、長時間に電気スタンドを使って仕事や勉強をした後、目に影響を与えたり損傷したりするため、電気スタンドの光を定時に制御して変更するタイミング電気スタンドを設計することは必要となり、本装置は人工で初期光と定時時間とを制御できるだけではなく、定時に提示することもでき、メンテナンスにも便利である。
【先行技術文献】
【特許文献】
【０００３】
【特許文献１】中国特許出願公開第１０８９８０６５９号明細書
【発明の概要】
【発明が解決しようとする課題】
【０００４】
本発明の目的はタイミング電気スタンドを提供し、それは上記の現在の技術中の問題を解決できる。
【課題を解決するための手段】
【０００５】
本発明は以下の技術プランを通じて実現する：本発明のタイミング電気スタンドは、ランプ台を含み、前記ランプ台の中には定時装置と、ロック装置及びライト装置が設置され、前記定時装置は前記ランプ台の中に設置される歯車チャンバを含み、前記歯車チャンバの中には大歯車が回転できるように設置され、前記大歯車の上端には連結軸が固定的に連結され、前記連結軸の上端にはねじり輪が固定的に連結され、前記大歯車の中には下方に開口した噛合チャンバが設置され、前記噛合チャンバの中の中心には小歯車が回転できるように設置され、前記小歯車の右端には伝動歯車が噛合し設置され、前記伝動歯車の右端が前記噛合チャンバの右側内壁に噛合しており、前記伝動歯車の下端が固定軸により前記歯車チャンバの下側内壁に回転できるように連結され、前記歯車チャンバの下側内壁には固定ブロックが固定的に連結され、前記小歯車と前記固定ブロックとの間にはぜんまいが固定的に連結され、前記小歯車の下端には中心軸が固定的に連結され、前記歯車チャンバの下側内壁の中には定時チャンバが設置され、前記中心軸の下端が前記定時チャンバの中に挿入され、かつ前記中心軸の下端にはロックスライドブロックが固定的に連結され、前記ロックスライドブロックには転がり歯車がネジ山により連結され、前記定時チャンバの下側内壁の中には歯状溝が連通し設置され、前記転がり歯車の下端が前記歯状溝に噛合しており、前記転がり歯車の右端にはねじボルトが回転できるように連結される；前記ねじり輪を回転させ、歯車伝動により前記ぜんまいをねじり、前記ぜんまいのエネルギーを増加し、前記ねじり輪を放した後に、前記ぜんまいが逆方向に回転し時間を計る。
【０００６】
さらなる技術プラン、前記ロック装置は前記定時チャンバの右側内壁の中に設置される上方に開口したプッシュロッドチャンバを含み、前記プッシュロッドチャンバの中には伝動軸が回転できるように設置され、前記伝動軸の左端が前記定時チャンバの中に挿入され、かつ前記伝動軸の左端には引掛りブロックが固定的に連結され、前記引掛りブロックの中には後方に開口した引掛り溝が左右に貫通し設置され、前記伝動軸の前端には固定板が固定的に連結され、前記固定板の下端には上磁石が固定的に連結され、前記プッシュロッドチャンバの下側内壁には前記上磁石に正対する下磁石が固定的に連結され、前記固定板の上端にはプッシュロッドが固定的に連結され、前記プッシュロッドの上端にはプッシュ輪が回転できるように連結され、前記プッシュ輪の上端には前記プッシュロッドチャンバの中にスライドできる提示ブロックが当接し設置され、前記提示ブロックが前記プッシュロッドチャンバの中から滑り出さない；前記ねじボルトの突出部分が前記引掛り溝の中に挿入され、かつ前記引掛りブロックを回転連動させることができ、それにより前記伝動軸を回転連動させ、前記プッシュロッドにより前記提示ブロックの上端を前記プッシュロッドチャンバの中から押し出すことができ、定めた時間を提示する。
【０００７】
さらなる技術プラン、前記ライト装置は前記プッシュロッドチャンバの右側内壁の中に連通し設置される伝動軸チャンバを含み、前記伝動軸チャンバの右側内壁の中には方向変更チャンバが連通し設置され、前記伝動軸の右端が前記方向変更チャンバの中に挿入され、かつ前記伝動軸の右端にはメイン傘歯車が固定的に連結され、前記メイン傘歯車の上端にはサブ傘歯車が噛合設置され、前記サブ傘歯車の上端にはロング回転軸が固定的に連結され、前記方向変更チャンバの上側内壁の中にはロング回転軸チャンバが連通し設置され、前記ロング回転軸チャンバの上側内壁の中には同期ベルトチャンバが連通し設置され、前記ロング回転軸の上端が前記同期ベルトチャンバの中に挿入され、かつ前記ロング回転軸の上端には右プーリが固定的に連結され、前記右プーリの左側には左プーリが回転できるように設置され、前記右プーリと前記左プーリとの間には同期ベルトが連結され、前記左プーリの中には切換軸が固定的に連結され、前記切換軸の上端が外部まで伸びており、かつ前記切換軸の上端には切換輪が固定的に連結され、手動で前記切換輪を回転させるとき、前記左プーリと前記同期ベルトとが相対的にスライドでき、前記切換軸の下端には前導電ブロックと後導電ブロックとが固定的に連結され、前記ランプ台には前記前導電ブロックの下側に位置する電球が設置され、前記電球の上端面の中には下導電ブロックが固定的に設置され、前記下導電ブロックが前記前導電ブロックまたは前記後導電ブロックと接触し前記電球を点灯でき、前記前導電ブロックと前記後導電ブロックとが同時に前記下導電ブロックに接触するとき前記電球を点灯しない；前記伝動軸が歯車伝動とベルト伝動により前記切換軸を回転連動させ、それにより前記前導電ブロックと前記後導電ブロックとを回転連動させて前記下導電ブロックと交代的に接触させる。
【発明の効果】
【０００８】
本発明の有益的な効果は：本発明は構造が簡単で、操作が便利であり、人工で初期光と定時時間を制御できるだけではなく、提示ブロックを弾ませることにより定時の時間を提示し、同時に光の輝度を変更し、快速に正しくセットし、メンテナンスコストが低く、ぜんまいを交換すればよい。
【図面の簡単な説明】
【０００９】
【図１】図１は本発明のタイミング電気スタンドの内部構成略図である；
【図２】図２は図１のＡ−Ａ方向の構成略図である；
【図３】図３は図１のＢ−Ｂ方向の構成略図である；
【図４】図４は図１のＣの拡大構成略図である；
【図５】図５は図１のＤ−Ｄ方向の構成略図である；
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明のタイミング電気スタンドは、ランプ台１１を含み、前記ランプ台１１の中には定時装置１００と、ロック装置１０１及びライト装置１０２が設置され、前記定時装置１００は前記ランプ台１１の中に設置される歯車チャンバ１２を含み、前記歯車チャンバ１２の中には大歯車１８が回転できるように設置され、前記大歯車１８の上端には連結軸１５が固定的に連結され、前記連結軸１５の上端にはねじり輪１６が固定的に連結され、前記大歯車１８の中には下方に開口した噛合チャンバ１３が設置され、前記噛合チャンバ１３の中の中心には小歯車１４が回転できるように設置され、前記小歯車１４の右端には伝動歯車１７が噛合し設置され、前記伝動歯車１７の右端が前記噛合チャンバ１３の右側内壁に噛合しており、前記伝動歯車１７の下端が固定軸２４により前記歯車チャンバ１２の下側内壁に回転できるように連結され、前記歯車チャンバ１２の下側内壁には固定ブロック２２が固定的に連結され、前記小歯車１４と前記固定ブロック２２との間にはぜんまい２１が固定的に連結され、前記小歯車１４の下端には中心軸２３が固定的に連結され、前記歯車チャンバ１２の下側内壁の中には定時チャンバ１９が設置され、前記中心軸２３の下端が前記定時チャンバ１９の中に挿入され、かつ前記中心軸２３の下端にはロックスライドブロック２７が固定的に連結され、前記ロックスライドブロック２７には転がり歯車２５がネジ山により連結され、前記定時チャンバ１９の下側内壁の中には歯状溝２０が連通し設置され、前記転がり歯車２５の下端が前記歯状溝２０に噛合しており、前記転がり歯車２５の右端にはねじボルト２６が回転できるように連結される；前記ねじり輪１６を回転させ、歯車伝動により前記ぜんまい２１をねじり、前記ぜんまい２１のエネルギーを増加し、前記ねじり輪１６を放した後に、前記ぜんまい２１が逆方向に回転し時間を計る。
【００１２】
有益的には、前記ロック装置１０１は前記定時チャンバ１９の右側内壁の中に設置される上方に開口したプッシュロッドチャンバ４８を含み、前記プッシュロッドチャンバ４８の中には伝動軸３０が回転できるように設置され、前記伝動軸３０の左端が前記定時チャンバ１９の中に挿入され、かつ前記伝動軸３０の左端には引掛りブロック２８が固定的に連結され、前記引掛りブロック２８の中には後方に開口した引掛り溝４５が左右に貫通し設置され、前記伝動軸３０の前端には固定板５０が固定的に連結され、前記固定板５０の下端には上磁石５２が固定的に連結され、前記プッシュロッドチャンバ４８の下側内壁には前記上磁石５２に正対する下磁石５１が固定的に連結され、前記固定板５０の上端にはプッシュロッド４９が固定的に連結され、前記プッシュロッド４９の上端にはプッシュ輪４７が回転できるように連結され、前記プッシュ輪４７の上端には前記プッシュロッドチャンバ４８の中にスライドできる提示ブロック４６が当接し設置され、前記提示ブロック４６が前記プッシュロッドチャンバ４８の中から滑り出さない；前記ねじボルト２６の突出部分が前記引掛り溝４５の中に挿入され、かつ前記引掛りブロック２８を回転連動させることができ、それにより前記伝動軸３０を回転連動させ、前記プッシュロッド４９により前記提示ブロック４６の上端を前記プッシュロッドチャンバ４８の中から押し出すことができ、定めた時間を提示する。
【００１３】
有益的には、前記ライト装置１０２は前記プッシュロッドチャンバ４８の右側内壁の中に連通し設置される伝動軸チャンバ２９を含み、前記伝動軸チャンバ２９の右側内壁の中には方向変更チャンバ３３が連通し設置され、前記伝動軸３０の右端が前記方向変更チャンバ３３の中に挿入され、かつ前記伝動軸３０の右端にはメイン傘歯車３１が固定的に連結され、前記メイン傘歯車３１の上端にはサブ傘歯車３２が噛合設置され、前記サブ傘歯車３２の上端にはロング回転軸３５が固定的に連結され、前記方向変更チャンバ３３の上側内壁の中にはロング回転軸チャンバ３４が連通し設置され、前記ロング回転軸チャンバ３４の上側内壁の中には同期ベルトチャンバ３８が連通し設置され、前記ロング回転軸３５の上端が前記同期ベルトチャンバ３８の中に挿入され、かつ前記ロング回転軸３５の上端には右プーリ３６が固定的に連結され、前記右プーリ３６の左側には左プーリ３９が回転できるように設置され、前記右プーリ３６と前記左プーリ３９との間には同期ベルト３７が連結され、前記左プーリ３９の中には切換軸４０が固定的に連結され、前記切換軸４０の上端が外部まで伸びており、かつ前記切換軸４０の上端には切換輪４１が固定的に連結され、手動で前記切換輪４１を回転させるとき、前記左プーリ３９と前記同期ベルト３７とが相対的にスライドでき、前記切換軸４０の下端には前導電ブロック４４と後導電ブロック５３とが固定的に連結され、前記ランプ台１１には前記前導電ブロック４４の下側に位置する電球４２が設置され、前記電球４２の上端面の中には下導電ブロック４３が固定的に設置され、前記下導電ブロック４３が前記前導電ブロック４４または前記後導電ブロック５３と接触し前記電球４２を点灯でき、前記前導電ブロック４４と前記後導電ブロック５３とが同時に前記下導電ブロック４３に接触するとき前記電球４２を点灯しない；前記伝動軸３０が歯車伝動とベルト伝動により前記切換軸４０を回転連動させ、それにより前記前導電ブロック４４と前記後導電ブロック５３とを回転連動させて前記下導電ブロック４３と交代的に接触させる。
【００１４】
使用するとき、切換輪４１を回転させ、それにより切換軸４０により前導電ブロック４４と後導電ブロック５３とを回転連動させ、それにより前導電ブロック４４を単独的に下導電ブロック４３と接触させ、前導電ブロック４４だけが下導電ブロック４３と接触するとき、電球４２は強い光ライトであり、後導電ブロック５３だけが下導電ブロック４３と接触するとき、電球４２は弱い光ライトであり、前導電ブロック４４、後導電ブロック５３が同時に下導電ブロック４３と接触するとき、電球４２が点灯しなく、電球４２を点灯した後に時計回りにねじり輪１６を回転させ、歯車伝動によりぜんまい２１に動力を伝達してねじりぜんまい２１の弾力を増やし、同時に中心軸２３によりロックスライドブロック２７を回転連動させ、それにより転がり歯車２５とねじボルト２６とを連動させて歯状溝２０に沿って中心軸２３に近接し転がらせ、ねじり輪１６の回転角度と転がり歯車２５の歯状溝２０内における位置とが一々対応しており、このとき提示ブロック４６を完全にプッシュロッドチャンバ４８の中にプッシュし、ねじり輪１６を放し、ぜんまい２１がゆっくり逆方向に回転し、歯車伝動によりねじり輪１６を反時計回りに回転連動させ、同時にロックスライドブロック２７を時計回りに回転連動させ、それにより転がり歯車２５とねじボルト２６とを連動させて歯状溝２０に沿って中心軸２３から遠離し転がらせ、ぜんまい２１のエネルギーが全部放出されると、ねじボルト２６の突出部分がちょうど引掛り溝４５の中に伸びて引掛りブロック２８を回転連動させ、それにより伝動軸３０を回転連動させ、プッシュロッド４９により提示ブロック４６の上端をプッシュロッドチャンバ４８の中から押し出し、定めた時間が経つのを提示し、同時に伝動軸３０が歯車伝動とベルト伝動により切換軸４０を回転連動させ、それにより前導電ブロック４４と後導電ブロック５３とを回転連動させ、それにより後導電ブロック５３を単独的に下導電ブロック４３と接触させ、このとき電球４２が強い光ライトから弱い光ライトになり、時間をチェックするときはねじり輪１６を持ち上げ、それにより大歯車１８を伝動歯車１７から離脱させ、このときぜんまい２１の中に残したエネルギーを放出した後にねじり輪１６を押し下げ、伝動歯車１７と大歯車１８とを再び噛合させる。
【００１５】
有益的な効果は：本発明は構造が簡単で、操作が便利であり、人工で初期光と定時時間を制御できるだけではなく、提示ブロックを弾ませることにより定時の時間を提示し、同時に光の輝度を変更し、快速に正しくセットし、メンテナンスコストが低く、ぜんまいを交換すればよい。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020161463.tif 000003
【図２】
2020161463.tif 000004
【図３】
2020161463.tif 000005
【図４】
2020161463.tif 000006
【図５】
2020161463.tif 000007
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
ランプ台を含み、前記ランプ台の中には定時装置と、ロック装置及びライト装置が設置され、前記定時装置は前記ランプ台の中に設置される歯車チャンバを含み、前記歯車チャンバの中には大歯車が回転できるように設置され、前記大歯車の上端には連結軸が固定的に連結され、前記連結軸の上端にはねじり輪が固定的に連結され、前記大歯車の中には下方に開口した噛合チャンバが設置され、前記噛合チャンバの中の中心には小歯車が回転できるように設置され、前記小歯車の右端には伝動歯車が噛合し設置され、前記伝動歯車の右端が前記噛合チャンバの右側内壁に噛合しており、前記伝動歯車の下端が固定軸により前記歯車チャンバの下側内壁に回転できるように連結され、前記歯車チャンバの下側内壁には固定ブロックが固定的に連結され、前記小歯車と前記固定ブロックとの間にはぜんまいが固定的に連結され、前記小歯車の下端には中心軸が固定的に連結され、前記歯車チャンバの下側内壁の中には定時チャンバが設置され、前記中心軸の下端が前記定時チャンバの中に挿入され、かつ前記中心軸の下端にはロックねじ山棒が固定的に連結され、前記ロックねじ山棒には転がり歯車がネジ山により連結され、前記定時チャンバの下側内壁の中には歯状溝が連通し設置され、前記転がり歯車の下端が前記歯状溝に噛合しており、前記転がり歯車の右端にはねじボルトが回転できるように連結されており、
前記ねじり輪を回転させ、歯車伝動により前記ぜんまいをねじり、前記ぜんまいのエネルギーを増加し、前記ねじり輪を放した後に、前記ぜんまいが逆方向に回転し時間を計ることを特徴とするタイミング電気スタンド。
【請求項２】
前記ロック装置は前記定時チャンバの右側内壁の中に設置される上方に開口したプッシュロッドチャンバを含み、前記プッシュロッドチャンバの中には伝動軸が回転できるように設置され、前記伝動軸の左端が前記定時チャンバの中に挿入され、かつ前記伝動軸の左端には引掛りブロックが固定的に連結され、前記引掛りブロックの中には後方に開口した引掛り溝が左右に貫通し設置され、前記伝動軸の前端には固定板が固定的に連結され、前記固定板の下端には上磁石が固定的に連結され、前記プッシュロッドチャンバの下側内壁には前記上磁石に正対する下磁石が固定的に連結され、前記固定板の上端にはプッシュロッドが固定的に連結され、前記プッシュロッドの上端にはプッシュ輪が回転できるように連結され、前記プッシュ輪の上端には前記プッシュロッドチャンバの中にスライドできる提示ブロックが当接し設置され、前記提示ブロックが前記プッシュロッドチャンバの中から滑り出さなく、
前記ねじボルトの後側端面に設置された突出部分が前記引掛り溝の中に挿入された時に前記引掛りブロックを回転連動させることができ、それにより前記ねじボルトが前記歯状溝の最外側に移動しないうちに前記伝動軸を回転連動させ、更に前記固定板を回転連動させ、前記プッシュロッドにより前記提示ブロックの上端を前記プッシュロッドチャンバの中から押し出すことができ、ぜんまいが巻き戻るまでの時間を提示することを特徴とする請求項１に記載のタイミング電気スタンド。
【請求項３】
前記ライト装置は前記プッシュロッドチャンバの右側内壁の中に連通し設置される伝動軸チャンバを含み、前記伝動軸チャンバの右側内壁の中には方向変更チャンバが連通し設置され、前記伝動軸の右端が前記方向変更チャンバの中に挿入され、かつ前記伝動軸の右端にはメイン傘歯車が固定的に連結され、前記メイン傘歯車の上端にはサブ傘歯車が噛合設置され、前記サブ傘歯車の上端にはロング回転軸が固定的に連結され、前記方向変更チャンバの上側内壁の中にはロング回転軸チャンバが連通し設置され、前記ロング回転軸チャンバの上側内壁の中には同期ベルトチャンバが連通し設置され、前記ロング回転軸の上端が前記同期ベルトチャンバの中に挿入され、かつ前記ロング回転軸の上端には右プーリが固定的に連結され、前記右プーリの左側には左プーリが回転できるように設置され、前記右プーリと前記左プーリとの間には同期ベルトが連結され、前記左プーリの中には切換軸が固定的に連結され、前記切換軸の上端が外部まで伸びており、かつ前記切換軸の上端には切換輪が固定的に連結され、前記切換軸の下端には前導電ブロックと後導電ブロックとが固定的に連結され、前記ランプ台には前記前導電ブロックの下側に位置する電球が設置され、前記電球の上端面の中には下導電ブロックが固定的に設置され、前記下導電ブロックが前記前導電ブロックまたは前記後導電ブロックと接触し前記電球を点灯でき、前記前導電ブロックと前記後導電ブロックとが同時に前記下導電ブロックに接触するとき前記電球を点灯しなく、
前記伝動軸が歯車伝動とベルト伝動により前記切換軸を回転連動させ、それにより前記前導電ブロックと前記後導電ブロックとを回転連動させて前記下導電ブロックと交代的に接触させることを特徴とする請求項２に記載のタイミング電気スタンド。
【手続補正２】
【補正対象書類名】明細書
【補正対象項目名】全文
【補正方法】変更
【補正の内容】
【発明の詳細な説明】
【技術分野】
【０００１】
本発明は家電用品分野を取り上げて、具体的にはタイミング電気スタンドである。
【背景技術】
【０００２】
電気スタンドは一般的な家電用品であり、長時間に電気スタンドを使って仕事や勉強をした後、目に影響を与えたり損傷したりするため、電気スタンドの光を定時に制御して変更するタイミング電気スタンドを設計することは必要となり、本装置は人工で初期光と定時時間とを制御できるだけではなく、定時に提示することもでき、メンテナンスにも便利である。
【先行技術文献】
【特許文献】
【０００３】
【特許文献１】中国特許出願公開第１０８９８０６５９号明細書
【発明の概要】
【発明が解決しようとする課題】
【０００４】
本発明の目的はタイミング電気スタンドを提供し、それは上記の現在の技術中の問題を解決できる。
【課題を解決するための手段】
【０００５】
本発明は以下の技術プランを通じて実現する：本発明のタイミング電気スタンドは、ランプ台を含み、前記ランプ台の中には定時装置と、ロック装置及びライト装置が設置され、前記定時装置は前記ランプ台の中に設置される歯車チャンバを含み、前記歯車チャンバの中には大歯車が回転できるように設置され、前記大歯車の上端には連結軸が固定的に連結され、前記連結軸の上端にはねじり輪が固定的に連結され、前記大歯車の中には下方に開口した噛合チャンバが設置され、前記噛合チャンバの中の中心には小歯車が回転できるように設置され、前記小歯車の右端には伝動歯車が噛合し設置され、前記伝動歯車の右端が前記噛合チャンバの右側内壁に噛合しており、前記伝動歯車の下端が固定軸により前記歯車チャンバの下側内壁に回転できるように連結され、前記歯車チャンバの下側内壁には固定ブロックが固定的に連結され、前記小歯車と前記固定ブロックとの間にはぜんまいが固定的に連結され、前記小歯車の下端には中心軸が固定的に連結され、前記歯車チャンバの下側内壁の中には定時チャンバが設置され、前記中心軸の下端が前記定時チャンバの中に挿入され、かつ前記中心軸の下端にはロックねじ山棒が固定的に連結され、前記ロックねじ山棒には転がり歯車がネジ山により連結され、前記定時チャンバの下側内壁の中には歯状溝が連通し設置され、前記転がり歯車の下端が前記歯状溝に噛合しており、前記転がり歯車の右端にはねじボルトが回転できるように連結されており、
前記ねじり輪を回転させ、歯車伝動により前記ぜんまいをねじり、前記ぜんまいのエネルギーを増加し、前記ねじり輪を放した後に、前記ぜんまいが逆方向に回転し時間を計る。
【０００６】
さらなる技術プラン、前記ロック装置は前記定時チャンバの右側内壁の中に設置される上方に開口したプッシュロッドチャンバを含み、前記プッシュロッドチャンバの中には伝動軸が回転できるように設置され、前記伝動軸の左端が前記定時チャンバの中に挿入され、かつ前記伝動軸の左端には引掛りブロックが固定的に連結され、前記引掛りブロックの中には後方に開口した引掛り溝が左右に貫通し設置され、前記伝動軸の前端には固定板が固定的に連結され、前記固定板の下端には上磁石が固定的に連結され、前記プッシュロッドチャンバの下側内壁には前記上磁石に正対する下磁石が固定的に連結され、前記固定板の上端にはプッシュロッドが固定的に連結され、前記プッシュロッドの上端にはプッシュ輪が回転できるように連結され、前記プッシュ輪の上端には前記プッシュロッドチャンバの中にスライドできる提示ブロックが当接し設置され、前記提示ブロックが前記プッシュロッドチャンバの中から滑り出さなく、
前記ねじボルトの後側端面に設置された突出部分が前記引掛り溝の中に挿入された時に前記引掛りブロックを回転連動させることができ、それにより前記ねじボルトが前記歯状溝の最外側に移動しないうちに前記伝動軸を回転連動させ、更に前記固定板を回転連動させ、前記プッシュロッドにより前記提示ブロックの上端を前記プッシュロッドチャンバの中から押し出すことができ、ぜんまいが巻き戻るまでの時間を提示する。
【０００７】
さらなる技術プラン、前記ライト装置は前記プッシュロッドチャンバの右側内壁の中に連通し設置される伝動軸チャンバを含み、前記伝動軸チャンバの右側内壁の中には方向変更チャンバが連通し設置され、前記伝動軸の右端が前記方向変更チャンバの中に挿入され、かつ前記伝動軸の右端にはメイン傘歯車が固定的に連結され、前記メイン傘歯車の上端にはサブ傘歯車が噛合設置され、前記サブ傘歯車の上端にはロング回転軸が固定的に連結され、前記方向変更チャンバの上側内壁の中にはロング回転軸チャンバが連通し設置され、前記ロング回転軸チャンバの上側内壁の中には同期ベルトチャンバが連通し設置され、前記ロング回転軸の上端が前記同期ベルトチャンバの中に挿入され、かつ前記ロング回転軸の上端には右プーリが固定的に連結され、前記右プーリの左側には左プーリが回転できるように設置され、前記右プーリと前記左プーリとの間には同期ベルトが連結され、前記左プーリの中には切換軸が固定的に連結され、前記切換軸の上端が外部まで伸びており、かつ前記切換軸の上端には切換輪が固定的に連結され、前記切換軸の下端には前導電ブロックと後導電ブロックとが固定的に連結され、前記ランプ台には前記前導電ブロックの下側に位置する電球が設置され、前記電球の上端面の中には下導電ブロックが固定的に設置され、前記下導電ブロックが前記前導電ブロックまたは前記後導電ブロックと接触し前記電球を点灯でき、前記前導電ブロックと前記後導電ブロックとが同時に前記下導電ブロックに接触するとき前記電球を点灯しなく、
前記伝動軸が歯車伝動とベルト伝動により前記切換軸を回転連動させ、それにより前記前導電ブロックと前記後導電ブロックとを回転連動させて前記下導電ブロックと交代的に接触させる。
【発明の効果】
【０００８】
本発明の有益的な効果は：本発明は構造が簡単で、操作が便利であり、人工で初期光と定時時間を制御できるだけではなく、提示ブロックを弾ませることにより定時の時間を提示し、同時に光の輝度を変更し、快速に正しくセットし、メンテナンスコストが低く、ぜんまいを交換すればよい。
【図面の簡単な説明】
【０００９】
【図１】図１は本発明のタイミング電気スタンドの内部構成略図
【図２】図２は図１のＡ−Ａ方向の構成略図
【図３】図３は図１のＢ−Ｂ方向の構成略図
【図４】図４は図１のＣの拡大構成略図
【図５】図５は図１のＤ−Ｄ方向の構成略図
【発明を実施するための形態】
【００１０】
下記に図１−５をあわせて本発明について詳しく説明し、便利に説明するために、下記の方向を以下のように規定する：図１は本発明のタイミング電気スタンドの正面図であり、以下に述べる上下左右前後の方向と図１の自身投影関係の上下左右前後の方向とが一致である。
【００１１】
図１−５を参照し、本発明のタイミング電気スタンドは、ランプ台１１を含み、前記ランプ台１１の中には定時装置１００と、ロック装置１０１及びライト装置１０２が設置され、前記定時装置１００は前記ランプ台１１の中に設置される歯車チャンバ１２を含み、前記歯車チャンバ１２の中には大歯車１８が回転できるように設置され、前記大歯車１８の上端には連結軸１５が固定的に連結され、前記連結軸１５の上端にはねじり輪１６が固定的に連結され、前記大歯車１８の中には下方に開口した噛合チャンバ１３が設置され、前記噛合チャンバ１３の中の中心には小歯車１４が回転できるように設置され、前記小歯車１４の右端には伝動歯車１７が噛合し設置され、前記伝動歯車１７の右端が前記噛合チャンバ１３の右側内壁に噛合しており、前記伝動歯車１７の下端が固定軸２４により前記歯車チャンバ１２の下側内壁に回転できるように連結され、前記歯車チャンバ１２の下側内壁には固定ブロック２２が固定的に連結され、前記小歯車１４と前記固定ブロック２２との間にはぜんまい２１が固定的に連結され、前記小歯車１４の下端には中心軸２３が固定的に連結され、前記歯車チャンバ１２の下側内壁の中には定時チャンバ１９が設置され、前記中心軸２３の下端が前記定時チャンバ１９の中に挿入され、かつ前記中心軸２３の下端にはロックねじ山棒２７が固定的に連結され、前記ロックねじ山棒２７には転がり歯車２５がネジ山により連結され、前記定時チャンバ１９の下側内壁の中には歯状溝２０が連通し設置され、前記転がり歯車２５の下端が前記歯状溝２０に噛合しており、前記転がり歯車２５の右端にはねじボルト２６が回転できるように連結されており、
前記ねじり輪１６を回転させ、歯車伝動により前記ぜんまい２１をねじり、前記ぜんまい２１のエネルギーを増加し、前記ねじり輪１６を放した後に、前記ぜんまい２１が逆方向に回転し時間を計る。
【００１２】
有益的には、前記ロック装置１０１は前記定時チャンバ１９の右側内壁の中に設置される上方に開口したプッシュロッドチャンバ４８を含み、前記プッシュロッドチャンバ４８の中には伝動軸３０が回転できるように設置され、前記伝動軸３０の左端が前記定時チャンバ１９の中に挿入され、かつ前記伝動軸３０の左端には引掛りブロック２８が固定的に連結され、前記引掛りブロック２８の中には後方に開口した引掛り溝４５が左右に貫通し設置され、前記伝動軸３０の前端には固定板５０が固定的に連結され、前記固定板５０の下端には上磁石５２が固定的に連結され、前記プッシュロッドチャンバ４８の下側内壁には前記上磁石５２に正対する下磁石５１が固定的に連結され、前記固定板５０の上端にはプッシュロッド４９が固定的に連結され、前記プッシュロッド４９の上端にはプッシュ輪４７が回転できるように連結され、前記プッシュ輪４７の上端には前記プッシュロッドチャンバ４８の中にスライドできる提示ブロック４６が当接し設置され、前記提示ブロック４６が前記プッシュロッドチャンバ４８の中から滑り出さなく、
前記ねじボルト２６の後側端面に設置された突出部分が前記引掛り溝４５の中に挿入された時に前記引掛りブロック２８を回転連動させることができ、それにより前記ねじボルト２６が前記歯状溝２０の最外側に移動しないうちに前記伝動軸３０を回転連動させ、更に前記固定板５０を回転連動させ、前記プッシュロッド４９により前記提示ブロック４６の上端を前記プッシュロッドチャンバ４８の中から押し出すことができ、ぜんまいが巻き戻るまでの時間を提示する。
【００１３】
有益的には、前記ライト装置１０２は前記プッシュロッドチャンバ４８の右側内壁の中に連通し設置される伝動軸チャンバ２９を含み、前記伝動軸チャンバ２９の右側内壁の中には方向変更チャンバ３３が連通し設置され、前記伝動軸３０の右端が前記方向変更チャンバ３３の中に挿入され、かつ前記伝動軸３０の右端にはメイン傘歯車３１が固定的に連結され、前記メイン傘歯車３１の上端にはサブ傘歯車３２が噛合設置され、前記サブ傘歯車３２の上端にはロング回転軸３５が固定的に連結され、前記方向変更チャンバ３３の上側内壁の中にはロング回転軸チャンバ３４が連通し設置され、前記ロング回転軸チャンバ３４の上側内壁の中には同期ベルトチャンバ３８が連通し設置され、前記ロング回転軸３５の上端が前記同期ベルトチャンバ３８の中に挿入され、かつ前記ロング回転軸３５の上端には右プーリ３６が固定的に連結され、前記右プーリ３６の左側には左プーリ３９が回転できるように設置され、前記右プーリ３６と前記左プーリ３９との間には同期ベルト３７が連結され、前記左プーリ３９の中には切換軸４０が固定的に連結され、前記切換軸４０の上端が外部まで伸びており、かつ前記切換軸４０の上端には切換輪４１が固定的に連結され、前記切換軸４０の下端には前導電ブロック４４と後導電ブロック５３とが固定的に連結され、前記ランプ台１１には前記前導電ブロック４４の下側に位置する電球４２が設置され、前記電球４２の上端面の中には下導電ブロック４３が固定的に設置され、前記下導電ブロック４３が前記前導電ブロック４４または前記後導電ブロック５３と接触し前記電球４２を点灯でき、前記前導電ブロック４４と前記後導電ブロック５３とが同時に前記下導電ブロック４３に接触するとき前記電球４２を点灯しなく、
前記伝動軸３０が歯車伝動とベルト伝動により前記切換軸４０を回転連動させ、それにより前記前導電ブロック４４と前記後導電ブロック５３とを回転連動させて前記下導電ブロック４３と交代的に接触させる。
【００１４】
使用するとき、切換輪４１を回転させ、それにより切換軸４０により前導電ブロック４４と後導電ブロック５３とを回転連動させ、それにより前導電ブロック４４を単独的に下導電ブロック４３と接触させ、前導電ブロック４４だけが下導電ブロック４３と接触するとき、電球４２は強い光ライトであり、後導電ブロック５３だけが下導電ブロック４３と接触するとき、電球４２は弱い光ライトであり、前導電ブロック４４、後導電ブロック５３が同時に下導電ブロック４３と接触するとき、電球４２が点灯しなく、電球４２を点灯した後に時計回りにねじり輪１６を回転させ、歯車伝動によりぜんまい２１に動力を伝達してねじりぜんまい２１の弾力を増やし、同時に中心軸２３によりロックねじ山棒２７を回転連動させ、それにより転がり歯車２５とねじボルト２６とを連動させて歯状溝２０に沿って中心軸２３に近接し転がらせ、ねじり輪１６の回転角度と転がり歯車２５の歯状溝２０内における位置とが一々対応しており、このとき提示ブロック４６を完全にプッシュロッドチャンバ４８の中にプッシュし、ねじり輪１６を放し、ぜんまい２１がゆっくり逆方向に回転し、歯車伝動によりねじり輪１６を反時計回りに回転連動させ、同時にロックねじ山棒２７を時計回りに回転連動させ、それにより転がり歯車２５とねじボルト２６とを連動させて歯状溝２０に沿って中心軸２３から遠離し転がらせ、ぜんまい２１のエネルギーが全部放出されると、ねじボルト２６の突出部分がちょうど引掛り溝４５の中に伸びて引掛りブロック２８を回転連動させ、それにより伝動軸３０を回転連動させ、プッシュロッド４９により提示ブロック４６の上端をプッシュロッドチャンバ４８の中から押し出し、定めた時間が経つのを提示し、同時に伝動軸３０が歯車伝動とベルト伝動により切換軸４０を回転連動させ、それにより前導電ブロック４４と後導電ブロック５３とを回転連動させ、それにより後導電ブロック５３を単独的に下導電ブロック４３と接触させ、このとき電球４２が強い光ライトから弱い光ライトになり、時間をチェックするときはねじり輪１６を持ち上げ、それにより大歯車１８を伝動歯車１７から離脱させ、このときぜんまい２１の中に残したエネルギーを放出した後にねじり輪１６を押し下げ、伝動歯車１７と大歯車１８とを再び噛合させる。
【００１５】
有益的な効果は：本発明は構造が簡単で、操作が便利であり、人工で初期光と定時時間を制御できるだけではなく、提示ブロックを弾ませることにより定時の時間を提示し、同時に光の輝度を変更し、快速に正しくセットし、メンテナンスコストが低く、ぜんまいを交換すればよい。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。